(57)【要約】【課題】  電子機器の保持が不安定な状態においても誤操作することなく、操作性向上を可能にしたポインティングデバイスの制御方法を提供すること。【解決手段】  入力手段であるポインティングデバイス（２）と、各種情報を表示する表示手段（４）と、前記表示手段（４）の表示上で選択箇所を示すカーソル（５）と、前記ポインティングデバイス（２）から得られる入力量に応じて前記カーソル（５）の移動量を制御するカーソル移動量制御手段（１）と、振動を検出する振動検出手段（３）と、を備えた電子機器において、前記振動検出手段（３）の検出結果によって、所定入力量に対するカーソル移動量を変更することを特徴とする。【選択図】  図２
2020140589.tif 000002
【特許請求の範囲】
【請求項１】
入力手段であるポインティングデバイス（２）と、
各種情報を表示する表示手段（４）と、
前記表示手段（４）の表示上で選択箇所を示すカーソル（５）と、
前記ポインティングデバイス（２）から得られる入力量に応じて前記カーソル（５）の移動量を制御するカーソル移動量制御手段（１）と、
振動を検出する振動検出手段（３）と、
を備え、前記振動検出手段（３）の検出結果によって、所定入力量に対するカーソル移動量を変更することを特徴とする電子機器。
【請求項２】
前記カーソル移動量制御手段（１）は、前記振動検出手段（３）によって振動が検出された場合に、所定入力量に対するカーソル移動量を小さくするように制御することを特徴とする請求項１に記載の電子機器。
【請求項３】
入力手段であるポインティングデバイス（２）と、
各種情報を表示する表示手段（４）と、
前記表示手段（４）の表示上で選択箇所を示すカーソル（５）と、
前記ポインティングデバイス（２）から得られる入力量に応じて前記カーソル（５）の移動量を制御するカーソル移動量制御手段（１）と、
前記表示手段の位置を変更することが可能な機構部と
前記機構部により変更した前記表示手段（４）の位置を検出する位置検出手段（６）と、
を備え、前記位置検出手段（６）の位置検出結果によって、所定入力量に対するカーソル移動量を変更することを特徴とする電子機器。
【請求項４】
前記カーソル移動量制御手段（１）は、前記位置検出手段（６）によって、開き位置にあると検出された場合に、所定入力量に対するカーソル移動量を小さくするように制御することを特徴とする請求項３に記載の電子機器。
【請求項５】
入力手段であるポインティングデバイス（２）と、
各種情報を表示する表示手段（４）と、
前記表示手段（４）の表示上で選択箇所を示すカーソル（５）と、
前記ポインティングデバイス（２）から得られる入力量に応じて前記カーソル（５）の移動量を制御するカーソル移動量制御手段（１）と、
振動を検出する振動検出手段（３）と、
を備える電子機器において、
前記振動検出手段（３）の検出結果によって、所定入力量に対するカーソル移動量を変更することを特徴とする制御方法。
【請求項６】
前記カーソル移動量制御手段（１）は、前記振動検出手段（３）によって振動が検出された場合に、所定入力量に対するカーソル移動量を小さくするように制御することを特徴とする請求項５に記載の制御方法。
【請求項７】
入力手段であるポインティングデバイス（２）と、
各種情報を表示する表示手段（４）と、
前記表示手段（４）の表示上で選択箇所を示すカーソル（５）と、
前記ポインティングデバイス（２）から得られる入力量に応じて前記カーソル（５）の移動量を制御するカーソル移動量制御手段（１）と、
前記表示手段（４）の位置を変更することが可能な機構部と、
前記機構部により変更した前記表示手段（４）の位置を検出する位置検出手段（６）と、
を備える電子機器において、
前記位置検出手段（６）の位置検出結果によって、所定入力量に対するカーソル移動量を変更することを特徴とする制御方法。
【請求項８】
前記カーソル移動量制御手段（１）は、前記位置検出手段（６）によって、開き位置にあると検出された場合に、所定入力量に対するカーソル移動量を小さくするように制御することを特徴とする請求項７に記載の制御方法。
【発明の詳細な説明】
【技術分野】
【０００１】
本発明は、ポインティングデバイスの制御に関し、特にポインティングデバイスの移動量に対するカーソルの移動量を決定するための感度に関する。
【背景技術】
【０００２】
従来、マウスに代表されるように、表示装置上でカーソルなどの指標を動かすための操作部材であるポインティングデバイスが知られており、快適に操作させるための様々な提案がなされている。
【０００３】
例えば、ＰＣにおけるポインティングデバイスであるマウスの操作においては、マウスの移動量に応じて表示装置上でのカーソル移動量（ピクセル数）が決められているが、表示装置の解像度を変更した場合、例えばＶＧＡ（６４０×４８０ピクセル）からＱＶＧＡ（１２８０×９６０ピクセル）に変更した場合、Ｘ成分やＹ成分のピクセル数が２倍になるため、同じマウスの移動量に対して、表示装置上では半分の距離しかカーソルが移動せず、操作性が変わってしまうという問題があった。
【０００４】
そのため、特許文献１においては、表示装置の解像度が変更された場合に、変更前の解像度と変更後の解像度の比に応じて、表示装置上のカーソル移動距離が同じとなるようにカーソル移動量（ピクセル数）を変更することによって、どの解像度においても操作性が変わらないといった発明がなされている。
【０００５】
一方で、このようなポインティングデバイスは撮像装置の操作部材としても用いられることが考えられる。近年撮像装置においては、機能の向上とともに表示装置に表示される情報量が増加しているため、ポインティングデバイスを操作することによって表示装置上でカーソルを動かして様々な選択をするような使い方は非常に有効であるが、その一例として測距点選択が挙げられる。
【先行技術文献】
【特許文献】
【０００６】
【特許文献１】特許第２７３７７１１号公報
【発明の概要】
【発明が解決しようとする課題】
【０００７】
先に例として挙げた撮像装置における測距点選択は数多くの測距点の中から焦点を合わせたい狙った一点を選択する必要があるため、非常に繊細な操作が要求されるが、撮像装置は状況によって様々な保持状態で操作がなされるため、常に安定した保持状態で操作できるとは限らない。例えば、バリアングル液晶を搭載し、表示装置を様々な向きに変更可能な撮像装置においては、表示装置を被写体である撮影者の方に向けて自分を撮影するいわゆる「自撮り」といわれる撮影方法が考えられるが、自撮りにおいては非常に不安定な保持状態となるため、ポインティングデバイスを操作して測距点を狙った一点に動かそうとしても、手が震えたりして微妙な操作ができずに、なかなか狙った測距点に合わせられないどころか意図しない測距点を選択してしまうといった問題が発生する。撮像装置を上に持ち上げてハイアングル撮影をする場合やローアングルで低い位置にある被写体を撮影する場合なども同様である。
【０００８】
そこで、本発明の目的は、電子機器の保持が不安定な状態においても誤操作することなく、操作性向上を可能にしたポインティングデバイスの制御方法を提供することにある。
【課題を解決するための手段】
【０００９】
上記の目的を達成するために、本発明に係る電子機器は、
入力手段であるポインティングデバイス（２）と、
各種情報を表示する表示手段（４）と、
前記表示手段（４）の表示上で選択箇所を示すカーソル（５）と、
前記ポインティングデバイス（２）から得られる入力量に応じて前記カーソル（５）の移動量を制御するカーソル移動量制御手段（１）と、
振動を検出する振動検出手段（３）と、
を備え、前記振動検出手段（３）の検出結果によって、所定入力量に対するカーソル移動量を変更することを特徴とする。
【発明の効果】
【００１０】
本発明に係る電子機器によれば、振動量が大きい場合にはカーソル移動の敏感度を下げて、指の動きに対してカーソルが反応しにくくすることで、狙った位置にカーソルを合わせ易くすることができるため、電子機器の保持が不安定な状態においても誤操作することなく、操作性向上が可能となる。
【図面の簡単な説明】
【００１１】
【図１】本発明の実施例１に関わる電子機器の構成の一部を示すブロック図
【図２】本発明の実施例１に関わるフローチャート
【図３】本発明の実施例１に関わる指の移動量とカーソル移動量の関係を示すグラフ
【図４】本発明の実施例２に関わる電子機器の構成の一部を示すブロック図
【図５】本発明の実施例２に関わる表示手段の位置を示す図
【図６】本発明の実施例２に関わるフローチャート
【図７】本発明の実施例２に関わる指の移動量とカーソル移動量の関係を示すグラフ
【発明を実施するための形態】
【００１２】
以下、本発明を実施するための形態について、図面を参照しながら詳細に説明する。
【実施例１】
【００１３】
図１は本発明の第一の実施形態に関わる電子機器の構成の一部を示すブロック図である。
【００１４】
１は電子機器の全ての動作を制御するシステム制御部であり、本発明におけるカーソル移動量の制御もこのシステム制御部で行う。２は電子機器の入力手段であるポインティングデバイスであり、例えばデバイス上で指を動かした際に光学的に指の動きを読み取り、指の移動量を検出して、システム制御部１に移動量を通知することが可能なデバイスが挙げられる。３は電子機器の振動を検出する振動検出手段で、例えばジャイロセンサ等の振れ検知センサが挙げられる。
【００１５】
４は表示手段であり、例えば液晶パネルなどの表示デバイスが挙げられる。表示手段４は電子機器の様々な情報を表示可能で、電子機器の各種設定をするためのメニュー表示、電子機器で撮影した画像の再生表示、また電子機器で撮影する際に不図示の撮像素子から得られた撮像データを逐次リアルタイムに表示することで、ライブビュー撮影を行うことができる。５は表示手段４上に表示されるカーソルで、例えばライブビュー撮影中に、ＡＦ（ＡｕｔｏＦｏｃｕｓ、自動焦点調整）のための測距点を撮影者が認識できるように表示している測距枠などが挙げられる。撮影者は測距枠を意図した被写体の位置に合わせるために、ポインティングデバイス２を指で操作する。このときポインティングデバイス２は撮影者の指の移動量を検出して、システム制御部１に移動量を通知し、システム制御部１は通知された指の移動量に応じて、表示手段４上でカーソル５の測距枠表示位置を移動させる。
【００１６】
次に図２のフローチャートを使って、指の移動量に応じたカーソル移動量の決定方法について説明する。
【００１７】
ポインティングデバイス２によって指の移動が検知された場合に（Ｓ１０１）、システム制御部１は振動検出手段３によって電子機器の振動量を検出し（Ｓ１０２）、振動量が所定以上の場合には、指の移動量に対するカーソル移動量を「標準×１／２」に設定する。（Ｓ１０３）。一方、振動量が所定未満の場合には、指の移動量に対するカーソル移動量を「標準」に設定する（Ｓ１０４）。
【００１８】
図３はポインティングデバイス２による指の移動量Ｘｉｎとカーソル移動量Ｘｏｕｔの関係を示すグラフであり、カーソル移動量「標準」とは図３のａの実線で示すような関係で、カーソル移動量「標準×１／２」とは図３のｂの破線で示すような関係となる。つまり、同じ指の移動量Ｘｉｎに対するカーソル移動量Ｘｏｕｔは、ｂはａの１／２である。言い換えると、同じカーソル移動量Ｘｏｕｔを得るのに、ｂはａの２倍の指の移動量Ｘｉｎが必要となるため、ｂはａよりも敏感度が低くなり、指の動きに対してカーソルが反応しにくくなる。これにより、電子機器の保持が不安定な状態のときに、撮影者の意図しない指の動きに対してカーソルが動いてしまうことを防ぐことができる。
【００１９】
このように、振動量が大きい場合には撮影者が電子機器を不安定な状態で保持していると判断できるため、カーソル移動の敏感度を下げて、指の動きに対してカーソルが反応しにくくすることで、狙った位置にカーソルを合わせ易くすることができる。これによって、電子機器の保持が不安定な状態においても誤操作することなく、操作性向上が可能となる。
【実施例２】
【００２０】
図４は本発明の第二の実施形態に関わる電子機器の構成の一部を示すブロック図である。
【００２１】
６の位置検出手段以外は、第一の実施形態の図１と同じであるため説明を省略する。不図示の機構部によって表示手段４は位置を変えることが可能であり、例えば図５に示すような「開き位置」や「反転開き位置」に変更することができる。６は表示手段４の位置を検出するための位置検出手段であり、前述の「開き位置」や「反転開き位置」といった表示手段４の位置を検出できる。「開き位置」は「通常位置」よりも不安定な保持状態となり、「反転開き位置」は例えば撮影者が自分自身を撮影する「自撮り」撮影時に使われるが、さらに不安定な保持状態となるため、微妙な操作がしづらくなることが考えられる。
【００２２】
次に図６のフローチャートを使って、指の移動量に応じたカーソル移動量の決定方法について説明する。
【００２３】
ポインティングデバイス２によって指の移動が検知された場合に（Ｓ２０１）、システム制御部１は位置検出手段６によって表示手段４の位置を検出し（Ｓ２０２）、表示手段４の位置が「反転開き位置」の場合には、指の移動量に対するカーソル移動量を「標準×１／３」に設定する。（Ｓ２０３）。表示手段４の位置が「反転開き位置」でない場合には、Ｓ２０４で「開き位置」かどうかを判定し、「開き位置」の場合には指の移動量に対するカーソル移動量を「標準×１／２」に設定する（Ｓ２０５）。「反転開き位置」でも「開き位置」でもない場合には、「通常位置」とであるとして指の移動量に対するカーソル移動量を「標準」に設定する（Ｓ２０６）。
【００２４】
図７はポインティングデバイス２による指の移動量Ｘｉｎとカーソル移動量Ｘｏｕｔの関係を示すグラフであり、カーソル移動量「標準」とは図７のａの実線で示すような関係で、カーソル移動量「標準×１／２」とは図７のｂの破線で示すような関係で、カーソル移動量「標準×１／３」とは図７のｃの太い実線で示すような関係となる。つまり、同じ指の移動量Ｘｉｎに対するカーソル移動量Ｘｏｕｔは、ｂはａの１／２であり、ｃはａの１／３であり、言い換えると、同じカーソル移動量Ｘｏｕｔを得るのに、ｂはａの２倍、ｃはａの３倍の指の移動量Ｘｉｎが必要となるため、ｂはａよりも、さらにｃはｂよりも敏感度が低くなり、指の動きに対してカーソルが反応しにくくなる。これにより、電子機器の保持が不安定な状態のときに、撮影者の意図しない指の動きに対してカーソルが動いてしまうことを防ぐことができる。
【００２５】
このように、表示手段４の位置によって撮影者が電子機器を不安定な状態で保持していると判断できるため、カーソル移動の敏感度を下げて、狙った位置にカーソルを合わせやすくすることができる。これによって、電子機器の保持が不安定な状態においても誤操作することなく、操作性向上が可能となる。
【００２６】
以上、本発明の好ましい実施形態について説明したが、本発明はこれらの実施形態に限定されず、実施例１の振動検知と実施例２の位置検知の組み合わせなど、その要旨の範囲内で種々の変形及び変更が可能である。
【００２７】
（他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００２８】
１  システム制御部、２  入力手段、３  振動検出手段、４  表示手段、
５  カーソル、６  位置検出手段
【図１】
2020140589.tif 000003
【図２】
2020140589.tif 000004
【図３】
2020140589.tif 000005
【図４】
2020140589.tif 000006
【図５】
2020140589.tif 000007
【図６】
2020140589.tif 000008
【図７】
2020140589.tif 000009